(57)【特許請求の範囲】
【請求項１】
ハウジングの前端に、モータ駆動で往復動し、ブレードを装着可能な往復部材を前方へ向けて突設すると共に、前記ハウジングの前方を照明可能な照明体を備えたレシプロソーであって、
前記ハウジングの前端に、前記往復部材が貫通する切替部材を回動可能に設け、前記照明体を前記切替部材の偏心位置に設けて、前記切替部材の回動操作により、前記照明体による照明位置を前記ブレードの周囲で変更可能としたことを特徴とするレシプロソー。
【請求項２】
ハウジングにおける切替部材の取付面に、照明体の正負のリード端子が夫々接触可能な正負の電極板を、前記切替部材の回動操作に伴う前記リード端子の移動軌跡上へ断続的に設けて、前記切替部材の回動操作により、前記照明体の消灯を選択可能とした請求項１に記載のレシプロソー。
【発明の詳細な説明】
【０００１】
【発明の属する技術分野】
本発明は、ハウジングの前端に、モータ駆動で往復動するブレードを備えたレシプロソーに関する。
【０００２】
【従来の技術】
レシプロソーは、モータを内蔵したハウジング内に、モータの回転を往復部材の直線往復運動に変換する運動変換機構を備え、ハウジングから前方へ突出する往復部材の前端にブレードを同一直線上に装着することで、モータ駆動によってブレードが往復動し、切断作業が可能となる。
一方、このようなレシプロソーでは、暗い場所でも切断箇所（墨線等）が視認できるように、ハウジングの前端に発光ダイオード等の照明体を設けて、ハウジング前方を照明可能としたものが知られている。
【０００３】
【発明が解決しようとする課題】
しかし、上記照明体はハウジングに固定され、常に同じ箇所を照明する構造となっているから、例えばレシプロソーを横向きに支持してプランジカット（窓枠等のくり抜き作業）を行う場合等、作業によっては照明箇所と照明したい箇所とが一致せず、照明機能が役立たない場合がある。
【０００４】
そこで、請求項１に記載の発明は、作業にかかわらず常に照明したい箇所を適正に照明でき、使い勝手に優れたレシプロソーを提供することを目的としたものである。
【０００５】
【課題を解決するための手段】
上記目的を達成するために、請求項１に記載の発明は、ハウジングの前端に、往復部材が貫通する切替部材を回動可能に設け、照明体を切替部材の偏心位置に設けて、切替部材の回動操作により、照明体による照明位置をブレードの周囲で変更可能としたことを特徴とするものである。
請求項２に記載の発明は、請求項１の目的に加えて、照明が不要な場合の照明体の消灯を可能とするために、ハウジングにおける切替部材の取付面に、照明体の正負のリード端子が夫々接触可能な正負の電極板を、切替部材の回動操作に伴うリード端子の移動軌跡上へ断続的に設けて、切替部材の回動操作により、照明体の消灯を選択可能としたものである。
【０００６】
【発明の実施の形態】
以下、本発明の実施の形態を図面に基づいて説明する。
図１は、レシプロソーの前端部分の説明図（（Ａ）が平面、（Ｂ）が側面を夫々示す）で、レシプロソー１は、図示しないモータを内蔵したハウジング２の前端（図１の右側）に、往復部材としてのスライドバー３を軸方向へスライド可能に備える。このスライドバー３は、ハウジング２に内設されてモータの回転を直線往復運動に変換する変換機構によって往復動可能で、前端にはブレード４を同一直線上に装着可能となっている。５はガイドシューで、ハウジング２に装着されて前方へ突出する連結バー６に支持され、ブレード４が直交状に貫通可能となっている。
【０００７】
又、ハウジング２の前面には、リング状のプレート部８の中央に、スライドバー３が中心を貫通する筒状部９を前方へ向けて立設したベースプレート７と、ベースプレート７の筒状部９に遊挿され、プレート部８に前方から当接する電極ホルダ１０とが、２本のネジ１１，１１によって取り付けられている。この電極ホルダ１０の前面には、図２に示すように、筒状部９と同心の半円状に形成される正負の電極板１２，１３が、＋側を外、−側を内として所定間隔をおいて接着されているが、夫々の半円部の両端及び中間位置では、外側の電極板１２の半円部よりも半径の大きい円弧上に位置する３つの突出部１２ａ〜１２ｃ及び１３ａ〜１３ｃが、同じく所定間隔をおいて夫々半径方向に突設されている。又、電極板１２，１３の突出部１２ａ，１３ａでは、ベースプレート７のプレート部８を貫通してハウジング２内に突出する接続片１２ｄ，１３ｄが延設され、この接続片１２ｄ，１３ｄに、ハウジング２内の電源回路と電気的接続されるリード線１４，１４がハンダ付けされている。
【０００８】
そして、ベースプレート７には、前方から切替部材としての切替リング１５が装着されている。この切替リング１５は、ベースプレート７のプレート部８と同径で、中央に筒状部９が遊挿する透孔１６を穿設した皿状体で、透孔１６より大径のフランジ部１８を備えたスリーブ１７を透孔１６に遊挿させて筒状部９外周に螺合させることで、フランジ部１８に前方へ抜け止めされる。この状態で、切替リング１５後端の開放側端部は、ベースプレート７のプレート部８の外周縁に形成された段部１９に嵌合して、ベースプレート７と同軸で回動可能となる。
【０００９】
２０は、切替リング１５の偏心位置で前方へ向けて取り付けられた発光ダイオード（以下「ＬＥＤ」という）で、切替リング１５の装着状態で、＋側のリード端子２１が、電極ホルダ１０の電極板１２における突出部１２ａ〜１２ｃによる円弧上に、−側のリード端子２２が、電極板１３における突出部１３ａ〜１３ｃによる円弧上に夫々位置するように配置されている。よって、図２（Ａ）のように、ＬＥＤ２０が３つの突出部１２ａ，１３ａから１２ｃ，１３ｃの何れかに位置する切替リング１５の回動位置では、ＬＥＤ２０のリード端子２１，２２と電極板１２，１３との接触により両者の電気的接続が維持され、図２（Ｂ）のように、ＬＥＤ２０が３つの突出部１２ａ，１３ａから１２ｃ，１３ｃの何れにも位置しない切替リング１５の回動位置では、ＬＥＤ２０は電極板１２，１３の半円部から半径方向に離れた位置にあって、リード端子２１，２２と電極板１２，１３との電気的接続は断たれるものとなる。
【００１０】
以上の如く構成されたレシプロソー１においては、ハウジング２に設けた図示しないスイッチレバーをＯＮ操作すると、モータが駆動してブレード４が往復動する。
ここで、電極板１２，１３の突出部１２ａ，１３ａ〜１２ｃ，１３ｃとＬＥＤ２０のリード端子２１，２２との設定により、両者の電気的接続は、切替リング１５の回動操作に伴うＬＥＤ２０のリード端子２１，２２の移動軌跡上で断続的に得られるから、ＬＥＤ２０を図２（Ａ）のように例えば突出部１２ｂ，１３ｂに位置させると、リード線１４，１４及び電極板１２，１３を介して電源回路と導通するＬＥＤ２０が点灯し、ハウジング２の前方を照明可能となる。
そして、照明箇所を変えたい場合は、切替リング１５を把持して左右何れかへ９０°回転させ、ＬＥＤ２０を別の突出部１２ａ，１３ａ又は１２ｃ，１３ｃに位置させると、同様にリード線１４，１４及び電極板１２，１３を介してＬＥＤ２０の点灯は維持されるため、ブレード４の周囲３箇所で照明が可能となる。又、照明が不要な場合は、ＬＥＤ２０が突出部１２ａ，１３ａ〜１２ｃ，１３ｃ以外の位置に来るように切替リング１５を回転させると、ＬＥＤ２０のリード端子２１，２２と電極板１２，１３との電気的接続が断たれ、ＬＥＤ２０を消灯させることができる。
【００１１】
このように上記形態のレシプロソー１によれば、ハウジング２の前端に、スライドバー３が貫通する切替リング１５を回動可能に設け、ＬＥＤ２０を切替リング１５の偏心位置に設けて、切替リング１５の回動操作により、ＬＥＤ２０による照明位置をブレード４の周囲で変更可能としたことで、プランジカット等の作業に合わせて適正な照明が可能となり、使い勝手に優れる。
又、ここでは、ハウジング２における切替部材の取付面に、ＬＥＤ２０のリード端子２１，２２が夫々接触可能な正負の電極板１２，１３を、切替リング１５の回動操作に伴うリード端子２１，２２の移動軌跡上へ断続的に設けて、切替リング１５の回動操作により、ＬＥＤ２０の消灯を選択可能としているから、照明が不要な時には切替リング１５でＬＥＤ２０を消灯させて、電力の無駄な消費やＬＥＤ２０の劣化進行を防止することができる。
【００１２】
尚、上記形態では、電極板１２，１３の突出部を３箇所に形成し、１８０°の範囲でＬＥＤ２０を回動可能としているが、突出部を増やしたり周方向の長さを長くしたりすれば、照明箇所の選択の幅が広がり、より使い勝手の向上が図られる。これはＬＥＤの回動範囲を広くしても同様である。又、照明体としては、ＬＥＤに限らず豆電球や管電球等を使用することもできる。
更に、照明体の消灯の選択が不要であれば、電極板は、突出部をなくして照明体の移動軌跡上全周に亘って設けることも可能であるし、ＬＥＤ等の照明体にリード線を直接接続して切替リングの回動範囲内で余裕を持つように引き回すことも可能である。
【００１３】
【発明の効果】
請求項１に記載の発明によれば、ハウジングの前端に、往復部材が貫通する切替部材を回動可能に設け、照明体を切替部材の偏心位置に設けて、切替部材の回動操作により、照明体による照明位置をブレードの周囲で変更可能としたことで、プランジカット等の作業に合わせて適正な照明が可能となり、使い勝手に優れる。
請求項２に記載の発明によれば、請求項１の効果に加えて、切替部材の回動操作により照明体の消灯を選択可能としたことで、照明が不要な時には照明体を消灯させて、電力の無駄な消費や照明体の劣化進行を防止することができる。
【図面の簡単な説明】
【図１】（Ａ）レシプロソーの前端部分の平面図である。
（Ｂ）レシプロソーの前端部分の側面図である。
【図２】（Ａ）Ａ−Ａ線断面図である（ＬＥＤ点灯状態）。
（Ｂ）（Ａ）から切替リングをＬＥＤの消灯位置に回転させた状態のＡ−Ａ線断面図である。
【符号の説明】
１・・レシプロソー、２・・ハウジング、７・・ベースプレート、８・・プレート部、９・・筒状部、１０・・電極ホルダ、１２，１３・・電極板、１５・・切替リング、２０・・発光ダイオード。
【図１】
0004153183.tif 000002
【図２】
0004153183.tif 000003